(57)【要約】【課題】電波状況が悪化しても従来よりも内容を把握し易い映像信号及び音声信号を出力する。【解決手段】放送受信装置１００は、デジタル放送に用いられる電波を受信し、当該受信された電波で搬送されたデータを伸張復号するデジタル放送受信機１２１を備える。また、放送受信装置１００は、デジタル放送で放送される音声と同一の音声の放送に用いられる電波を受信するアナログ放送受信機１２２を備える。さらに、放送受信装置１００は、伸張復号されたデータで表される第１音声信号に対して、アナログ放送受信機１２２で受信された電波で搬送された第２音声信号を同期させる音声同期部１４０と、第１音声信号に同期させられた第２音声信号と、第１受信手段で伸張復号されたデータで表される映像信号とを出力する信号出力部１７０と、を備える。【選択図】図１
2012209710.tif 000002
【特許請求の範囲】
【請求項１】
デジタル放送に用いられる電波を受信し、当該受信された電波で搬送されたデータを伸張復号する第１受信手段と、
前記デジタル放送で放送される音声と同一の音声の放送に用いられる電波を受信する第２受信手段と、
前記第１受信手段で伸張復号されたデータで表される第１音声信号に対して、前記第２受信手段で受信された電波で搬送された第２音声信号を同期させる音声同期手段と、
前記音声同期手段で前記第１音声信号に同期させられた前記第２音声信号と、前記第１受信手段で伸張復号されたデータで表される映像信号であって、前記第１音声信号に同期した映像信号とを出力する信号出力手段と、を備える、
ことを特徴とする放送受信装置。
【請求項２】
前記音声同期手段は、
前記第２音声信号を遅延させる遅延手段と、
前記第１音声信号と、前記遅延手段で遅延させられた前記第２音声信号とを比較し、前記第１音声信号と前記第２音声信号との差異が減少するように前記遅延手段が前記第２音声信号を遅延させる時間を変更する信号比較手段と、を有する、
ことを特徴とする請求項１に記載の放送受信装置。
【請求項３】
デジタル放送に用いられる第１チャネルを表す情報と、前記デジタル放送で放送される音声と同一の音声を放送するために用いられる第２チャネルを表す情報と、前記第１チャネルで前記第１受信手段が電波を受信し、かつ前記第２チャネルで前記第２受信手段が電波を受信する場合における前記第１音声信号の前記第２音声信号に対する遅延時間を表す遅延時間情報とを対応付けて記憶する情報記憶手段と、
前記第１受信手段が電波の受信に用いる第１チャネルを表す情報と、前記第２受信手段が電波の受信に用いる第２チャネルを表す情報とに対応付けて前記情報記憶手段が記憶する前記遅延時間情報を検索する情報検索手段と、
前記遅延手段が前記第２音声信号を遅延させる時間を、前記情報検索手段で検索された遅延時間情報で表される遅延時間に設定する遅延時間設定手段と、をさらに備える、
ことを特徴とする請求項２に記載の放送受信装置。
【請求項４】
前記音声同期手段が前記第１音声信号と前記第２音声信号とを同期させると、前記遅延手段が前記第２音声信号を遅延させている遅延時間を表す遅延時間情報を、前記第１受信手段が電波の受信に用いる第１チャネルを表す情報と、前記第２受信手段が電波の受信に用いる第２チャネル表す情報とに対応付けて前記情報記憶手段へ保存する情報保存手段をさらに備える、
ことを特徴とする請求項３に記載の放送受信装置。
【請求項５】
前記遅延手段で遅延させられる前の前記第２音声信号から、緊急警報放送の前に送信される緊急警報信号を検出する緊急警報信号検出手段をさらに備え、
前記信号出力手段は、前記緊急警報信号検出手段で前記緊急警報信号が検出されると、前記遅延手段で遅延させられる前の前記第２音声信号を出力する、
ことを特徴とする請求項２から４のいずれか一項に記載の放送受信装置。
【請求項６】
デジタル放送に用いられる電波を受信し、当該受信された電波で搬送されたデータを伸張復号する第１受信装置と、前記デジタル放送で放送される音声と同一の音声の放送に用いられる電波を受信する第２受信装置とを備える放送受信装置の制御方法であって、
前記第１受信装置で伸張復号されたデータで表される第１音声信号に対して、前記第２受信装置で受信された電波で搬送された第２音声信号を同期させる音声同期ステップと、
前記第１音声信号に同期させられた前記第２音声信号と、前記第１受信装置で伸張復号されたデータで表される映像信号であって、前記第１音声信号に同期した映像信号とを出力する信号出力ステップと、
を含むことを特徴とする制御方法。
【請求項７】
デジタル放送に用いられる電波を受信し、当該受信された電波で搬送されたデータを伸張復号する第１受信装置と、前記デジタル放送で放送される音声と同一の音声の放送に用いられる電波を受信する第２受信装置とを備える放送受信装置を制御するコンピュータに、
前記第１受信装置で伸張復号されたデータで表される第１音声信号に対して、前記第２受信装置で受信された電波で搬送された第２音声信号を同期させる音声同期機能、
前記第１音声信号に同期させられた前記第２音声信号と、前記第１受信装置で伸張復号されたデータで表される映像信号であって、前記第１音声信号に同期した映像信号とを出力する信号出力機能、
を実現させることを特徴とする制御プログラム。
【発明の詳細な説明】
【技術分野】
【０００１】
本発明は、デジタル放送を受信する放送受信装置、制御方法、及び制御プログラムに関する。
【背景技術】
【０００２】
従来から、電波状況が悪化することでデジタル放送が受信できなくなるとアナログ放送の受信を開始すると共に、デジタル放送の出力を中断してアナログ放送の出力を開始する放送受信装置が知られている（例えば、特許文献１）。
【先行技術文献】
【特許文献】
【０００３】
【特許文献１】特開２００１−２１７７３５号公報
【発明の概要】
【発明が解決しようとする課題】
【０００４】
ここで、一般的に、デジタル放送された映像及び音声の放送受信装置における出力は、例えば、放送局において映像及び音声を表すデータを圧縮符号化するのに要する時間及び放送受信装置において受信されたデータを伸張復号するのに要する時間、更に誤り訂正や画像処理に要する時間がある為、アナログ放送された映像及び音声の出力よりも遅延する。このため、特許文献１に記載の放送受信装置では、デジタル放送された映像及び音声から、アナログ放送された映像及び音声へ出力を切り替えると、遅延時間分の映像及び音声が出力されないので、ユーザは、放送内容を把握することが困難になるという問題があった。特に、頻繁に切り替えが生じる場合には、とぎれとぎれの映像及び音声が出力されるので、ユーザは、放送内容を把握できなくなっていた。
【０００５】
本発明は、このような点に鑑みてなされたものであり、その目的とするところは、電波状況が悪化しても従来よりも内容を把握し易い映像信号及び音声信号を出力する放送受信装置、制御方法、及び制御プログラムを提供することにある。
【課題を解決するための手段】
【０００６】
上記目的を達成するため、本発明の第１の観点に係る放送受信装置は、
デジタル放送に用いられる電波を受信し、当該受信された電波で搬送されたデータを伸張復号する第１受信手段と、
前記デジタル放送で放送される音声と同一の音声の放送に用いられる電波を受信する第２受信手段と、
前記第１受信手段で伸張復号されたデータで表される第１音声信号に対して、前記第２受信手段で受信された電波で搬送された第２音声信号を同期させる音声同期手段と、
前記音声同期手段で前記第１音声信号に同期させられた前記第２音声信号と、前記第１受信手段で伸張復号されたデータで表される映像信号であって、前記第１音声信号に同期した映像信号とを出力する信号出力手段と、を備える、
ことを特徴とする。
【発明の効果】
【０００７】
本発明によれば、電波状況が悪化しても従来よりも内容を把握し易い映像信号及び音声信号を出力できる。
【図面の簡単な説明】
【０００８】
【図１】本発明の実施形態１に係る放送受信装置の一例を表すハードウェア構成図である。
【図２】実施形態１の制御部の一構成例を表すハードウェア構成図である。
【図３】実施形態１の制御部が実行する遅延時間設定処理を説明するためのフローチャートである。
【図４】実施形態１の制御部が実現する機能の一例を表す機能ブロック図である。
【図５】実施形態１の情報記憶部が記憶する遅延時間テーブルの一例を表す図である。
【図６】実施形態１の放送受信装置が行う放送受信処理を説明するためのフローチャートである。
【図７】本発明の実施形態２に係る放送受信装置の一例を表すハードウェア構成図である。
【図８】実施形態２の制御部が実行する音声同期処理を説明するためのフローチャートである。
【図９】実施形態２の制御部が実現する機能の一例を表す機能ブロック図である。
【発明を実施するための形態】
【０００９】
（実施形態１）
本発明の実施形態１に係る放送受信装置１００を、図面を参照して以下に説明する。
【００１０】
図１は、放送受信装置１００の一構成例を示す図である。
図１に示すように、放送受信装置１００は、映像表示装置２０１、音声出力装置２０２、及び緊急信号アラーム出力装置２０３に接続している。放送受信装置１００は、例えば、カーナビゲーション装置のような車載機であり、映像表示装置２０１、音声出力装置２０２、及び緊急信号アラーム出力装置２０３も放送受信装置１００と同様に車両に搭載される。
【００１１】
放送受信装置１００は、放送用の電波を受信し、受信した電波に基づいて放送された映像を表す映像信号を映像表示装置２０１へ出力し、放送された音声を表す音声信号を音声出力装置２０２へ出力する。特に、放送受信装置１００は、緊急地震速報などを伝える緊急警報放送用の電波を受信すると、受信された電波に基づいて緊急警報放送の音声を表す信号を、緊急信号アラーム出力装置２０３へ出力する。
【００１２】
映像表示装置２０１は、ＬＣＤ（Liquid Crystal Display）で構成され、放送受信装置１００から出力された映像信号に基づいて映像を表示する。尚、映像表示装置２０１は、ＰＤＰ（Plasma Display Panel）又はＥＬ（Electroluminescence）ディスプレイで構成されても良い。音声出力装置２０２及び緊急信号アラーム出力装置２０３は、スピーカで構成され、放送受信装置１００から出力された音声信号に基づいて音声を出力する。
【００１３】
放送受信装置１００は、アンテナ１１１及び１１２、デジタル放送受信機１２１、アナログ放送受信機１２２、スイッチ１３０、音声同期部１４０、緊急信号検出器１５０、操作キー１６０、信号出力部１７０、及び制御部１９０で構成される。信号出力部１７０は、映像信号出力部１７１、音声信号出力部１７２、及び緊急信号出力部１７３で構成される。
【００１４】
アンテナ１１１は、地上デジタル放送用の電波を受信し、受信した電波に基づいて高周波信号を出力する。アンテナ１１１は、ワンセグ（1seg）放送用の電波を受信しても良い。
【００１５】
本実施形態において、地上デジタル放送では、ＯＦＤＭ（Orthogonal Frequency-Division Multiplexing）という無線変調方式と、ＭＰＥＧ（Moving Picture Experts Group）−２という情報源符号方式とが採用されているとして説明を行うが、これに限定される訳ではない。
【００１６】
デジタル放送受信機１２１は、アンテナ１１１から高周波信号を入力し、入力された高周波信号を復調して、制御部１９０により設定されたチャネルでデジタル放送された映像及び音声を表すデータフレームを取得する。次に、デジタル放送受信機１２１は、取得したデータフレームに対してビタビ誤り訂正処理を行った後に、ビット誤り率（以下、ＢＥＲ：Bit Error Rateという）を算出し、算出されたＢＥＲが、例えば、２×１０−４などの規定値よりも高い場合には、当該データフレームを破棄する。ＢＥＲが規定値よりも高い場合には、データフレームの伸張復号が実行できないためである。このため、ＢＥＲが規定値を超えると、当該データフレームで表される放送内容（つまり、放送された映像及び音声の内容）は出力されない。これに対して、算出されたＢＥＲが規定値よりも低い場合には、当該データフレームを伸張復号し、伸張復号されたデジタルデータに基づいてデジタル放送された映像信号を映像信号出力部１７１出力し、デジタル放送された音声信号（以下、第１音声信号という）を音声同期部１４０へ出力する。
【００１７】
アンテナ１１２は、地上アナログテレビジョン放送用の電波を受信し、受信した電波で伝搬された高周波信号を出力する。
【００１８】
アナログ放送受信機１２２は、アンテナ１１２から高周波信号を入力し、入力された高周波信号を復調し、制御部１９０により設定されたチャネルでアナログ放送された音声を表す音声信号（以下、第２音声信号という）をスイッチ１３０及び緊急信号検出器１５０へ出力する。
【００１９】
尚、本実施形態において、制御部１９０は、サイマル放送されたデジタル放送の受信に用いられるチャネルをデジタル放送受信機１２１に設定し、サイマル放送されたアナログ放送（つまり、当該デジタル放送で放送された音声と同一の音声のアナログ放送）の受信に用いられるチャネルをアナログ放送受信機１２２に設定する。
【００２０】
本実施形態において、アンテナ１１２は、地上アナログテレビジョン放送用の電波を受信するとして説明するが、これに限定される訳ではなく、デジタル放送受信機１２１で受信される放送の音声と同一の音声が放送されていれば、ＦＭ（Frequency Modulation）放送又はＡＭ（Amplitude Modulation）放送用の電波を受信しても良い。
【００２１】
ここで、デジタル放送を行う放送局は、放送内容を表すデータを圧縮符号化してから送信し、デジタル放送受信機１２１は、受信したデータを伸張復号してから伸張復号されたデータに基づいて映像信号と音声信号とを出力する。このため、デジタル放送受信機１２１から出力される第１音声信号は、アナログ放送受信機１２２から出力される第２音声信号に比べて、圧縮符号化処理に要した時間及び伸張復号処理に要した時間だけ遅延している。
【００２２】
このため、音声同期部１４０は、アナログ放送受信機１２２から出力された後にスイッチ１３０から出力される第２音声信号を、デジタル放送受信機１２１から出力された第１音声信号に同期させる。
【００２３】
具体的には、音声同期部１４０は、信号比較器１４１と遅延器１４２とで構成される。遅延器１４２は、スイッチ１３０から出力された第２音声信号を、制御部１９０によって設定された遅延時間だけ遅延させてから信号比較器１４１と音声信号出力部１７２とに出力する。信号比較器１４１は、デジタル放送受信機１２１から出力された第１音声信号と、遅延器１４２で遅延させられた第２音声信号とを比較し、第１音声信号と第２音声信号との差異が少なくなるように遅延器１４２に設定された遅延時間を変更する。具体的には、信号比較器１４１は、第１音声信号の波形と第２音声信号の波形との相関値が大きくなるように遅延器１４２に設定された遅延時間を調整する。
【００２４】
緊急信号検出器１５０は、アナログ放送受信機１２２から出力された第２音声信号から、緊急警報放送に先立って送信される緊急警報信号を検出する。具体的には、緊急警報信号は予め設定された周波数の信号であるため、緊急信号検出器１５０は、当該予め設定された周波数の信号を検出することで、第２音声信号から緊急警報信号を検出する。緊急信号検出器１５０は、緊急警報信号を検出すると、例えば、所定の時間などの緊急警報放送が行われる間に亘って、第２音声信号を出力するスイッチ１３０の出力先を音声同期部１４０から緊急信号出力部１７３へ切り替える。これにより、第２音声信号は、音声同期部１４０によって遅延させられることなく緊急信号出力部１７３へ出力される。
【００２５】
操作キー１６０は、例えば、放送受信装置１００の前面を覆う操作パネルに設置されており、ユーザの各種操作に応じた各種信号を制御部１９０へ入力する。
【００２６】
映像信号出力部１７１、音声信号出力部１７２、及び緊急信号出力部１７３は、雌端子で構成される。映像信号出力部１７１は、デジタル放送受信機１２１から出力された映像信号を映像表示装置２０１へ出力する。音声信号出力部１７２は、音声同期部１４０で第１音声信号に同期させられた第２音声信号を音声出力装置２０２へ出力する。緊急信号出力部１７３は、緊急警報信号が検出されてから所定時間に亘って、スイッチ１３０から出力された第２音声信号を緊急信号アラーム出力装置２０３へ出力する。
【００２７】
図２は、制御部１９０の構成を示すブロック図である。
図２に示すように、制御部１９０は、ＣＰＵ（Central Processing Unit）１９０ａ、ＲＯＭ（Read Only Memory）１９０ｂ、ＲＡＭ（Random Access Memory）１９０ｃ、ハードディスク１９０ｄ、及びＩ／Ｏ（Input/Output）ポート１９０ｅで構成されている。
【００２８】
ＣＰＵ１９０ａは、ＲＯＭ１９０ｂ又はハードディスク１９０ｄに保存されたプログラムに従ってソフトウェア処理を実行することで、放送受信装置１００の全体制御を行う。ＲＡＭ１９０ｃは、ＣＰＵ１９０ａによるプログラムの実行時において、処理対象とする情報（つまり、データ）を一時的に記憶する。
【００２９】
ハードディスク１９０ｄは、各種の情報（つまり、データ）を保存した表（つまり、テーブル）を記憶する。なお、制御部１９０は、ハードディスク１９０ｄの代わりに、フラッシュメモリなどを備えても良い。
【００３０】
Ｉ／Ｏポート１９０ｅは、デジタル放送受信機１２１、アナログ放送受信機１２２、信号比較器１４１、遅延器１４２、及び操作キー１６０と、ＣＰＵ１９０ａとの間で、バスを介して信号の入出力を行う。
【００３１】
上述した構成を用いて、制御部１９０は、遅延器１４２に対して遅延時間を設定する、図３に示すような遅延時間設定処理を実行する。これにより、制御部１９０は、図４に示すようなチャネル設定部１９１、情報検索部１９２、遅延時間設定部１９４、及び情報保存部１９５として機能する。また、制御部１９０は、ハードディスク１９０ｄと協働することで、情報記憶部１９３として機能する。
【００３２】
情報記憶部１９３は、図５に示すような遅延時間テーブルを記憶している。この遅延時間テーブルには、デジタル放送の受信チャネル（以下、第１チャネルという）を表す情報と、デジタル放送で放送される音声と同一の音声を放送するアナログ放送の受信チャネル（以下、第２チャネルという）を表す情報と、遅延時間情報とが対応付けられて保存されている。ここで、遅延時間情報とは、アナログ放送受信機１２２から出力される第２音声信号に対する、デジタル放送受信機１２１から出力される第１音声信号の遅延時間を表す情報である。
【００３３】
図３は、制御部１９０が実行する遅延時間設定処理を説明するためのフローチャートである。以下、図３乃至図５を参照して遅延時間設定処理の詳細を説明する。
放送受信装置１００においてデジタル放送の受信が開始されると、制御部１９０は、遅延時間設定処理を開始する。チャネル設定部１９１は、操作キー１６０からユーザの操作に応じた信号を取得し、取得した信号に基づいてユーザによって指定された第１チャネルを受信チャネルとして特定する。次に、チャネル設定部１９１は、特定された第１チャネルの放送を受信するようにデジタル放送受信機１２１を設定する。
【００３４】
また、チャネル設定部１９１は、遅延時間テーブルから、特定された第１チャネルを表す情報に対応付けられた第２チャネルを表す情報を取得し、取得された情報で表される第２チャネルで受信するようにアナログ放送受信機１２２を設定する（ステップＳ０１）。
【００３５】
次に、情報検索部１９２は、遅延時間テーブルから、ステップＳ０１で設定した第１チャネルを表す情報と、第２チャネルを表す情報とに対応付けられた遅延時間情報を検索する（ステップＳ０２）。その後、情報検索部１９２は、遅延時間情報を検索できたか（つまり、取得できたか）否かを判別する（ステップＳ０３）。このとき、遅延時間情報が取得できたと判別されると（ステップＳ０３；Ｙｅｓ）、遅延時間設定部１９４は、取得された遅延時間情報で表される遅延時間を、遅延器１４２に設定する（ステップＳ０４）。
【００３６】
ステップＳ０３において、遅延時間情報が取得できなかったと判別された場合（ステップＳ０３；Ｎｏ）、又はステップＳ０４の後に、情報保存部１９５は、第１音声信号と第２音声信号との同期が取れているか否かを判別する（ステップＳ０５）。具体的には、信号比較器１４１から出力される、第１音声信号の波形と第２音声信号の波形との相関値が予め定められた閾値を以上である場合に、第１音声信号と第２音声信号との同期が取れていると判別する。尚、当該予め定められた閾値を表す情報は、情報記憶部１９３に記憶されている。また、当業者は、当該予め定められた閾値の好適な値を実験により定めることができる。
【００３７】
ステップＳ０５において、情報保存部１９５は、第１音声信号と第２音声信号との同期が取れていないと判別すると（ステップＳ０５；Ｎｏ）、信号比較器１４１が遅延器１４２に設定された遅延時間を調整するのに要する時間だけ経過した後に、再度ステップＳ０５の処理を繰り返す。
【００３８】
ステップＳ０５において、情報保存部１９５は、第１音声信号と第２音声信号との同期が取れていると判別すると（ステップＳ０５；Ｙｅｓ）、遅延器１４２に設定された遅延時間を表す遅延時間情報を遅延器１４２から取得する。その後、情報保存部１９５は、取得した遅延時間情報を、ステップＳ０１で設定した第１チャネルを表す情報と第２チャネルを表す情報とに対応付けて保存する（ステップＳ０６）。情報保存部１９５は、第１チャネルを表す情報と、第２チャネルを表す情報とに対応付けられた遅延時間情報を、取得した遅延時間情報で更新しても良い。
【００３９】
その後、チャネル設定部１９１は、操作キー１６０から取得した信号に基づいてチャネルの再設定が必要であるか否かを判別する（ステップＳ０７）。具体的には、チャネル設定部１９１は、操作キー１６０から取得した信号に基づいて、ユーザによって指定されたチャネルが変化したと判別すると、チャネルの再設定が必要であると判別する。
【００４０】
このとき、チャネル設定部１９１は、チャネルの再設定が不要であると判別すると（ステップＳ０７；Ｎｏ）、所定時間経過後に、上記ステップＳ０７の処理を繰り返す。これに対して、チャネル設定部１９１は、チャネルの再設定が必要であると判別すると（ステップＳ０７；Ｙｅｓ）、ステップＳ０２から上記処理を繰り返す。
【００４１】
次に、放送受信装置１００が放送を受信するために行う動作処理（以下、放送受信処理という）の一例について、図６を参照して説明する。
【００４２】
放送受信装置１００において放送受信処理が開始されると、デジタル放送受信機１２１は、制御部１９０に設定された第１チャネルで放送の受信を開始するとともに、受信された放送の映像信号及び第１音声信号の出力を開始する。また、アナログ放送受信機１２２は、制御部１９０に設定された第２チャネルで放送の受信を開始するとともに、受信された放送の第２音声信号の出力を開始する（ステップＳ１１）。
【００４３】
次に、遅延器１４２は、アナログ放送受信機１２２から出力された第２音声信号を、制御部１９０によって設定された遅延時間だけ遅延させてから、信号比較器１４１及び音声信号出力部１７２へ出力する（ステップＳ１２）。
【００４４】
その後、信号比較器１４１は、遅延させられた第２音声信号の波形と、デジタル放送受信機１２１から出力された第１音声信号の波形とを比較する（相関値を算出する）（ステップＳ１３）。
【００４５】
次に、信号比較器１４１は、第１音声信号と第２音声信号との同期がとれていない場合（つまり、算出された相関値が予め定められた閾値より小さい場合）に（ステップＳ１５；Ｎｏ）、相関値が増加するように遅延器１４２に設定された遅延時間（遅延量）を調整する（ステップＳ１６）。その後、信号比較器１４１は、ステップＳ１５の処理から上記処理を繰り返す。
【００４６】
第１音声信号と第２音声信号との同期がとれると（ステップＳ１５；Ｙｅｓ）、映像信号出力部１７１は、デジタル放送受信機１２１から出力された映像信号を映像表示装置２０１へ出力する（ステップＳ１８）。また、音声信号出力部１７２は、アナログ放送受信機１２２から出力された第２音声信号であって、遅延器１４２で遅延させられた信号を音声出力装置２０２へ出力する（ステップＳ１９）。
【００４７】
その後、緊急信号検出器１５０が緊急警報信号を検出せず（ステップＳ２０；Ｎｏ）、制御部１９０が受信チャネルを再設定する必要があると判別すると（ステップＳ２１；Ｙｅｓ）、ステップＳ１１から上記処理が繰り返される。これに対して、制御部１９０が受信チャネルを再設定する必要がないと判別すると（ステップＳ２１；Ｎｏ）、ステップＳ１８から上記処理が繰り返される。
【００４８】
また、緊急信号検出器１５０が緊急警報信号を検出すると（ステップＳ２０；Ｙｅｓ）、緊急信号検出器１５０は、スイッチ１３０の出力先を音声同期部１４０から緊急信号出力部１７３へ切り替える（ステップＳ２２）。その後、緊急信号出力部１７３は、アナログ放送受信部１２２から出力された緊急警報放送の第２音声信号を、音声同期部１４０で遅延させずに（つまり、遅延時間「０」で）緊急信号アラーム出力装置２０３へ出力する（ステップＳ２３）。その後、所定時間経過後に、緊急信号検出器１５０は、スイッチ１３０の出力先を緊急信号出力部１７３から音声同期部１４０へ切り替えた後に（ステップＳ２４）、ステップＳ１８から上記処理を繰り返す。
【００４９】
ここで、デジタル放送受信機１２１は、例えば、フェージングなどにより受信電界強度が低下しても（つまり、電波状況が悪化しても）、受信されたデータのＢＥＲが規定値を下回っている間は、誤り訂正を行ったデータに基づいた映像信号を出力できる。これに対して、ＢＥＲが規定値を上回ると当該受信データに対して伸張復号処理を実行できなくなり映像信号の出力が中断される。しかし、通常、映像の出力が数秒間中断しても、ユーザは、中断前後に出力された映像に基づいて出力されなかった映像を容易に推測できることが知られている。これに対して、音声信号の出力が数秒間中断すると、ユーザは、出力されなかった言葉を推測することが困難であることが知られている。また、アナログ放送受信部１２２は、電波状況が悪化するとノイズが混ざった音声信号を出力することがあるが、音声信号の出力が中断することはない。
【００５０】
このため、これらの構成によれば、デジタル放送の映像信号と、伸張復号処理により遅延したデジタル放送の第１音声信号に対して同期させられた、第１音声信号と同一の音声を表す第２音声信号とを出力するため、電波状況が悪化しても従来よりも内容を把握し易い映像信号及び音声信号を出力できる。すなわち、車両の走行中におけるフェージングなどにより電波の受信レベルが大きく減衰しても、デジタル放送された鮮明な映像と同期させながら音声を途切れることなく出力できるので、音声に多少ノイズがあってもユーザは、放送内容を容易に把握できる。
【００５１】
また、第２音声信号に対する第１音声信号の遅延時間は、第１音声信号を表すデータを送信する放送局（つまり、当該データの圧縮符号化方式や当該データを圧縮符号化する放送局の設備性能）と、当該データを伸張復号するデジタル放送受信機１２１の性能とによって定まる。このため、これらの構成によれば、遅延器１４２で遅延させられた第２音声信号と第１音声信号との差異が減少するように遅延器１４２における第２音声信号の遅延時間を変更するフィードバック制御を行うため、デジタル放送の放送方式や放送局の設備性能やデジタル放送受信機１２１の性能が変化しても、第１音声信号と第２音声信号とを同期させることができる。
【００５２】
さらに、これらの構成によれば、デジタル放送受信機１２１が放送の受信に用いるチャネルやアナログ放送受信機１２２が放送の受信に用いるチャネルを変更しても、予め情報記憶部１９３に記憶された遅延時間情報に基づいて、従来よりも短い時間で第１音声信号と第２音声信号とを同期させることができる。
【００５３】
また、これらの構成によれば、デジタル放送受信機１２１が放送の受信に用いるチャネルと、アナログ放送受信機１２２が放送の受信に用いるチャネルとがどのような組み合わせであっても、一度、デジタル放送受信機１２１から出力される第１音声信号と、アナログ放送受信機１２２から出力される第２音声信号とを同期させれば、次回からより短い時間で第１音声信号と第２音声信号とを同期させることができる。
【００５４】
これらの構成によれば、緊急警報信号が検出されると、第１音声信号と同期させられる前の第２音声信号を出力するため、緊急警報放送の音声信号が遅延して出力されることを従来よりも防止できる。なお、緊急信号検出器１５０で緊急警報信号を検出しない場合であっても、デジタル放送受信機１２１においては、緊急警報信号（ＥＷＳ：Emergency Warning Signal）を受信した場合、緊急警報情報をユーザに対して知らせる機能を有している(不図示)。
【００５５】
放送受信装置１００は、不図示のコンピュータ通信網に接続する基地局との間で電波の送受信を行うアンテナと、当該アンテナ及び基地局を介してコンピュータ通信網に接続するサーバに対して、放送受信装置１００の機種を表す情報を送信する通信回路とを備える構成を採用できる。この構成において、サーバは、機種を表す情報と、第１チャネルを表す情報と、第２チャネルを表す情報と、当該機種の装置が第２チャネルで受信したアナログ放送の第２音声信号が、第１チャネルで受信したデジタル放送の第１音声信号に対して遅延する遅延時間を表す情報とを対応付けて記憶しており、放送受信装置１００の機種を表す情報を受信すると、当該機種を表す情報に対応付けられた情報を返信する構成を採用できる。これらの構成において、放送受信装置１００の通信回路が第１チャネルを表す情報と、第２チャネルを表す情報と、遅延時間情報を表す情報とを対応付けて受信すると、情報保存部１９５は、通信回路で受信された情報を、図５の遅延時間テーブルに保存する構成を採用できる。
【００５６】
これらの構成によれば、第１チャネルで放送を受信するデジタル放送受信機１２１から出力される第１音声信号と、第２チャネルで放送を受信するアナログ放送受信機１２２から出力される第２音声信号とを一度も同期させていなくとも、サーバから受信した遅延情報を用いて、従来よりも短い時間で第１音声信号と第２音声信号とを同期させることができる。
【００５７】
放送受信装置１００は、デジタル放送受信機１２１が、サイマル放送されていないデジタル放送を受信する場合には、デジタル放送受信機１２１が出力する第１音声信号を映像信号と同期させて出力しても良い。
【００５８】
放送受信装置１００を構成する、デジタル放送受信機１２１、アナログ放送受信機１２２、スイッチ１３０、音声同期部１４０、緊急信号検出器１５０、操作キー１６０、映像信号出力部１７１、音声信号出力部１７２、緊急信号出力部１７３のそれぞれ一部又は全部は、制御部１９０が実行するソフトウェア処理により実現しても良い。逆に、制御部１９０がソフトウェア処理により実現するチャネル設定部１９１、情報検索部１９２、遅延時間設定部１９４、及び情報保存部１９５の一部又は全部は、電子回路などのハードウェアにより実現されても良い。
【００５９】
（実施形態２）
本発明の実施形態２に係る放送受信装置３００について、図面を参照しつつ説明する。実施形態２に係る放送受信装置３００は、地上デジタル放送とインタネット放送とを受信し、デジタル放送された映像信号とインタネット放送された音声信号とを出力する。
【００６０】
図７は、放送受信装置３００の構成を示す図である。
図７に示すように、放送受信装置３００は、アンテナ３１１、デジタル放送受信機３２１、アンテナ３１２、通信回路３２２、操作キー３６０、制御部３９０、映像信号出力部３７１、及び音声信号出力部３７２で構成される。尚、アンテナ３１１、デジタル放送受信機３２１、映像信号出力部３７１、及び音声信号出力部３７２は、それぞれ図１のアンテナ１１１、デジタル放送受信機１２１、映像信号出力部１７１、及び音声信号出力部１７２と同様であるので説明を省略する。
【００６１】
アンテナ３１２は、インタネットに接続する基地局との間で電波の送受信を行う。通信回路３２２は、制御部３９０によって指定されたサーバに対して、制御部３９０によって指定された音声データを送信するように求めるリクエストを、当該アンテナ、基地局、及びインタネットを介して送信した後に、当該サーバから音声データを受信する。
【００６２】
尚、通信回路３２２は、例えば、電波状況が悪化することで音声データを受信できなくなると、電波状況が改善した後に再度音声データの受信を試みる（つまり、リトライする）。このため、デジタル放送よりも電波状況が悪化しても音声データを受信することができる。
【００６３】
制御部３９０は、不図示のＣＰＵ、ＲＯＭ、ＲＡＭ、ハードディスク、及びＩ／Ｏポートで構成されている。これらのハードウェアは、図２のＣＰＵ１９０ａ、ＲＯＭ１９０ｂ、ＲＡＭ１９０ｃ、ハードディスク１９０ｄ、及びＩ／Ｏポート１９０ｅと同様であるため説明を省略する。
【００６４】
図８は、制御部３９０が実行する音声同期処理を説明するためのフローチャートである。以下、図７乃至図９を参照して、音声同期処理の詳細を説明する。
制御部３９０は、図８に示すような音声同期処理を実行することで、図９に示すような設定部３９６、第１取得部３９７ａ、第２取得部３９７ｂ、音声同期部３９８、及び信号出力部３９９として機能する。
【００６５】
放送受信装置３００において音声同期処理が開始されると、設定部３９６は、操作キー３６０からユーザの操作に応じた信号を取得し、取得した信号に基づいてユーザによって指定された第１チャネルを受信チャネルとして特定する。次に、設定部３９６は、特定された第１チャネルでデジタル放送を受信するようにデジタル放送受信機３２１を設定する（ステップＳ３１）。
【００６６】
ここで、不図示のハードディスクには、第１チャネルを表す情報と、当該第１チャネルで放送される音声と同一のインタネット放送を行うサーバのＵＲＩ（Uniform Resource Identifier）を表す情報とが対応付けて保存されている。このため、設定部３９６は、デジタル放送受信機３２１に設定した第１チャネルを表す情報に対応付けられたＵＲＩを表す情報を取得し、取得した情報で表されるＵＲＩのサーバに対してインタネット放送の音声データを送信するように求めるリクエストを通信回路３２２に送信させる（ステップＳ３２）。
【００６７】
その後、第１取得部３９７ａは、デジタル放送受信機３２１で伸張復号されたデジタル放送のデータを取得する（ステップＳ３３）。また、第２取得部３９７ｂは、通信回路３２２で受信されたインタネット放送の音声データを取得する（ステップＳ３４）。
【００６８】
その後、音声同期部３９８は、ステップＳ３３で取得されたデジタル放送のデータのヘッダ部から、例えば、放送の開始時刻からの経過時間などで表される放送時刻を表す情報（以下、放送時刻情報という）を抽出する（ステップＳ３５）。同様に、音声同期部３９８は、ステップＳ３４で取得されたインタネット放送のデータのヘッダ部から放送時刻情報を抽出する（ステップＳ３６）。
【００６９】
その後、音声同期部３９８は、抽出された放送時刻情報で表される放送時刻が一致するように、既にバッファリングしている複数のデジタル放送のデータと、複数のインタネット放送のデータとを対応させることで、デジタル放送のデータで表される映像信号及び第１音声信号と、インタネット放送のデータで表される第２音声信号とを同期させる（ステップＳ３７）。
【００７０】
その後、信号出力部３９９は、同期させられたデジタル放送のデータに基づく映像信号を、映像信号出力部３７１へ出力する（ステップＳ３８）。また、信号出力部３９９は、同期させられたインタネット放送のデータに基づく第２音声信号を、音声信号出力部３７２へ出力する（ステップＳ３９）。
【００７１】
設定部３９６は、操作キー３６０から取得した信号に基づいてチャネルの再設定が必要であるか否かを判別する（ステップＳ４０）。このとき、設定部３９９は、チャネルの再設定が不要であると判別すると（ステップＳ４０；Ｎｏ）、ステップＳ３３から上記処理を繰り返す。これに対して、設定部３９６は、チャネルの再設定が必要であると判別すると（ステップＳ４０；Ｙｅｓ）、ステップＳ３１から上記処理を繰り返す。
【００７２】
これらの構成によれば、デジタル放送されたデータに付された放送時刻と、インタネット放送されたデータに付された放送時刻とに基づいてこれらのデータを同期させるので、従来よりも精度良くかつ迅速に、デジタル放送された映像信号と、インタネット放送された第２音声信号とを同期させることができる。
【００７３】
制御部３９０がソフトウェア処理により実現する設定部３９６、第１取得部３９７ａ、第２取得部３９７ｂ、音声同期部３９８、及び信号出力部３９９の一部又は全部は、電子回路などのハードウェアにより実現されても良い。
【００７４】
本発明の実施形態１及び２は、それぞれ互いに組み合わせることができる。実施形態１又は２に係る機能を実現するための構成を予め備えた放送受信装置１００又は３００として提供できることはもとより、プログラムの適用により、既存の放送受信装置を実施形態１に係る放送受信装置１００又は実施形態２に係る放送受信装置３００として機能させることもできる。すなわち、実施形態１で例示した放送受信装置１００又は実施形態２で例示した放送受信装置３００による各機能構成を実現させるための画像表示プログラムを、既存の放送受信装置を制御するコンピュータ（ＣＰＵなど）が実行できるように適用することで、実施形態１に係る放送受信装置１００又は実施形態２に係る放送受信装置３００として機能させることができる。
【００７５】
このようなプログラムの配布方法は任意であり、例えば、メモリカード、ＣＤ−ＲＯＭ、又はＤＶＤ−ＲＯＭなどの記録媒体に格納して配布できる他、インタネットなどの通信媒体を介して配布することもできる。
【００７６】
また、本発明は、本発明の広義の精神と範囲を逸脱することなく、様々な実施形態及び変形が可能とされるものである。つまり、本発明のいくつかの実施形態を説明したが、上述した実施形態は本発明を説明するためのものであり、本発明の範囲を限定するものではない。本発明の範囲は、実施形態ではなく、特許請求の範囲に記載された発明とその均等の範囲を含む。
以下に本願出願の当初の特許請求の範囲に記載された発明を付記する。
【００７７】
（付記１）
デジタル放送に用いられる電波を受信し、当該受信された電波で搬送されたデータを伸張復号する第１受信手段と、
前記デジタル放送で放送される音声と同一の音声の放送に用いられる電波を受信する第２受信手段と、
前記第１受信手段で伸張復号されたデータで表される第１音声信号に対して、前記第２受信手段で受信された電波で搬送された第２音声信号を同期させる音声同期手段と、
前記音声同期手段で前記第１音声信号に同期させられた前記第２音声信号と、前記第１受信手段で伸張復号されたデータで表される映像信号であって、前記第１音声信号に同期した映像信号とを出力する信号出力手段と、を備える、
ことを特徴とする放送受信装置。
【００７８】
（付記２）
前記音声同期手段は、
前記第２音声信号を遅延させる遅延手段と、
前記第１音声信号と、前記遅延手段で遅延させられた前記第２音声信号とを比較し、前記第１音声信号と前記第２音声信号との差異が減少するように前記遅延手段が前記第２音声信号を遅延させる時間を変更する信号比較手段と、を有する、
ことを特徴とする付記１に記載の放送受信装置。
【００７９】
（付記３）
デジタル放送に用いられる第１チャネルを表す情報と、前記デジタル放送で放送される音声と同一の音声を放送するために用いられる第２チャネルを表す情報と、前記第１チャネルで前記第１受信手段が電波を受信し、かつ前記第２チャネルで前記第２受信手段が電波を受信する場合における前記第１音声信号の前記第２音声信号に対する遅延時間を表す遅延時間情報とを対応付けて記憶する情報記憶手段と、
前記第１受信手段が電波の受信に用いる第１チャネルを表す情報と、前記第２受信手段が電波の受信に用いる第２チャネルを表す情報とに対応付けて前記情報記憶手段が記憶する前記遅延時間情報を検索する情報検索手段と、
前記遅延手段が前記第２音声信号を遅延させる時間を、前記情報検索手段で検索された遅延時間情報で表される遅延時間に設定する遅延時間設定手段と、をさらに備える、
ことを特徴とする付記２に記載の放送受信装置。
【００８０】
（付記４）
前記音声同期手段が前記第１音声信号と前記第２音声信号とを同期させると、前記遅延手段が前記第２音声信号を遅延させている遅延時間を表す遅延時間情報を、前記第１受信手段が電波の受信に用いる第１チャネルを表す情報と、前記第２受信手段が電波の受信に用いる第２チャネル表す情報とに対応付けて前記情報記憶手段へ保存する情報保存手段をさらに備える、
ことを特徴とする付記３に記載の放送受信装置。
【００８１】
（付記５）
前記遅延手段で遅延させられる前の前記第２音声信号から、緊急警報放送の前に送信される緊急警報信号を検出する緊急警報信号検出手段をさらに備え、
前記信号出力手段は、前記緊急警報信号検出手段で前記緊急警報信号が検出されると、前記遅延手段で遅延させられる前の前記第２音声信号を出力する、
ことを特徴とする付記２から４のいずれか一つに記載の放送受信装置。
【００８２】
（付記６）
デジタル放送に用いられる電波を受信し、当該受信された電波で搬送されたデータを伸張復号する第１受信装置と、前記デジタル放送で放送される音声と同一の音声の放送に用いられる電波を受信する第２受信装置とを備える放送受信装置の制御方法であって、
前記第１受信装置で伸張復号されたデータで表される第１音声信号に対して、前記第２受信装置で受信された電波で搬送された第２音声信号を同期させる音声同期ステップと、
前記第１音声信号に同期させられた前記第２音声信号と、前記第１受信装置で伸張復号されたデータで表される映像信号であって、前記第１音声信号に同期した映像信号とを出力する信号出力ステップと、
を含むことを特徴とする制御方法。
【００８３】
（付記７）
デジタル放送に用いられる電波を受信し、当該受信された電波で搬送されたデータを伸張復号する第１受信装置と、前記デジタル放送で放送される音声と同一の音声の放送に用いられる電波を受信する第２受信装置とを備える放送受信装置を制御するコンピュータに、
前記第１受信装置で伸張復号されたデータで表される第１音声信号に対して、前記第２受信装置で受信された電波で搬送された第２音声信号を同期させる音声同期機能、
前記第１音声信号に同期させられた前記第２音声信号と、前記第１受信装置で伸張復号されたデータで表される映像信号であって、前記第１音声信号に同期した映像信号とを出力する信号出力機能、
を実現させることを特徴とする制御プログラム。
【符号の説明】
【００８４】
１１１，１１２，３１１，３１２・・・アンテナ、１２１，３２１・・・デジタル放送受信機、１２２・・・アナログ放送受信機、１３０・・・スイッチ、１４０，３９８・・・音声同期部、１４１・・・信号比較器、１４２・・・遅延器、１５０・・・緊急信号検出器、１６０，３６０・・・操作キー、１７０，３９９・・・信号出力部、１７１，３７１・・・映像信号出力部、１７２，３７２・・・音声信号出力部、１７３・・・緊急信号出力部、１９０，３９０・・・制御部、１９０ａ・・・ＣＰＵ、１９０ｂ・・・ＲＯＭ、１９０ｃ・・・ＲＡＭ、１９０ｄ・・・ハードディスク、１９０ｅ・・・Ｉ／Ｏポート、２０１・・・映像表示装置、２０２・・・音声出力装置、２０３・・・緊急信号アラーム出力装置、３２２・・・通信回路、３９６・・・設定部、３９７ａ・・・第１取得部、３９７ｂ・・・第２取得部
【図１】
2012209710.tif 000003
【図２】
2012209710.tif 000004
【図３】
2012209710.tif 000005
【図４】
2012209710.tif 000006
【図５】
2012209710.tif 000007
【図６】
2012209710.tif 000008
【図７】
2012209710.tif 000009
【図８】
2012209710.tif 000010
【図９】
2012209710.tif 000011